(57)【要約】【課題】シューズ装着時にアッパー本体と緊締部とを十分な強度で固定するとともに、シューズを脱ぐ際に緊締部をアッパー本体から容易に離間させることが可能なシューズのアッパーおよびシューズを提供する。【解決手段】本発明のシューズのアッパー１は、少なくともその一端がアッパー本体１０と着脱可能に構成され、使用者の足をアッパー本体１０にフィットさせる柔軟性を有する素材からなる緊締部２０と、緊締部２０に設けられた複数の磁石部材３０ａ〜３０ｆと、緊締部２０をアッパー本体１０に装着する際におけるアッパー本体１０の磁石部材３０ａ〜３０ｆと対向する位置に設けられ、磁石部材３０ａ〜３０ｆと吸着することにより、緊締部２０をアッパー本体１０に固定する磁石部材４０ａ〜４０ｆとを備える。磁石部材３０ａ〜３０ｆは、規則性を持って配置されている。【選択図】図２
2016043177.tif 000002
【特許請求の範囲】
【請求項１】
足を挿入するための開口部を含むアッパー本体と、
少なくともその一端が前記アッパー本体と着脱可能に構成され、使用者の足を前記アッパー本体にフィットさせる柔軟性を有する素材からなる緊締部と、
前記緊締部に設けられた複数の第１磁性部材と、
前記緊締部を前記アッパー本体に装着する際における前記アッパー本体の前記第１磁性部材と対向する位置に設けられ、前記複数の第１磁性部材と吸着することにより、前記緊締部を前記アッパー本体に固定する第２磁性部材とを備え、
前記複数の第１磁性部材は、規則性を持って配置されている、シューズのアッパー。
【請求項２】
前記第２磁性部材は、前記複数の第１磁性部材と相補的に吸着しあうように前記アッパー本体に複数配置されている、請求項１に記載のシューズのアッパー。
【請求項３】
前記複数の第１磁性部材は、それぞれ、前記緊締部が延びる方向と交差する方向に沿って隣接するように配置されている、請求項１または２に記載のシューズのアッパー。
【請求項４】
前記複数の第１磁性部材は、それぞれ、細長形状に形成されており、前記複数の第１磁性部材のうち一の第１磁性部材の長手方向の端部が、他の第１磁性部材の長手方向の端部と隣接するように配置されている、請求項１〜３のいずれか１項に記載のシューズのアッパー。
【請求項５】
前記複数の第１磁性部材は、前記複数の第１磁性部材の長手方向に沿って略直線状に配置されている、請求項４に記載のシューズのアッパー。
【請求項６】
前記複数の第１磁性部材のうち所定の第１磁性部材と他の第１磁性部材とは、各々の長手方向の延びる方向が平行になるように配置されている、請求項４または５に記載のシューズのアッパー。
【請求項７】
前記複数の第１磁性部材は、それぞれ、磁極を有する複数の第１磁石部材であり、
前記第１磁石部材と対向する前記第２磁性部材は、それぞれ、前記第１磁性部材の磁極と反対の磁極になるように配置された第２磁石部材である、請求項１〜６のいずれか１項に記載のシューズのアッパー。
【請求項８】
前記複数の第１磁性部材および前記複数の第２磁性部材は、それぞれ、ネオジム磁石を有する、請求項１〜７のいずれか１項に記載のシューズのアッパー。
【請求項９】
請求項１〜８のいずれか１項に記載のシューズのアッパーと、前記シューズのアッパーが取り付けられたソールとを備える、シューズ。
【発明の詳細な説明】
【技術分野】
【０００１】
本発明は、シューズのアッパーおよびシューズに関し、特に、アッパー本体と少なくともその一端がアッパー本体に着脱可能に構成された緊締部とを備えるシューズのアッパーおよびシューズに関する。
【背景技術】
【０００２】
従来、アッパー本体とその一端がアッパー本体に着脱可能に構成された緊締部とを備えるシューズが知られている（特許文献１）。特許文献１のシューズの実施例１、２、４、７および９には、緊締部の一方端とアッパー本体とを接離可能な一対の平面状のマグネットテープを備える構成が開示されている。この特許文献１の上記実施例１などのシューズの緊締部は、緊締部の平面状のマグネットテープがアッパー本体のマグネットテープに吸着することにより、アッパー本体に固定されている。
【０００３】
また、特許文献１の実施例３、５、６および８には、緊締部の一方端とアッパー本体とを接離可能な一対のマグネットボタンを備える構成が開示されている。この特許文献１の上記実施例３などのシューズの緊締部は、緊締部の一つのマグネットボタンがアッパー本体のマグネットボタンに吸着することにより、アッパー本体に固定されている。
【先行技術文献】
【特許文献】
【０００４】
【特許文献１】特開２００７−３１９３０６号公報
【発明の概要】
【発明が解決しようとする課題】
【０００５】
しかしながら、上記特許文献１の各実施例のシューズでは、一対のマグネットテープまたは一対のマグネットボタンにより緊締部がアッパー本体に固定されているため、一対のマグネットテープまたは一対のマグネットボタンには、シューズの使用状態においても緊締部がアッパー本体から離間しない程度の十分な吸着力を与える必要がある。その一方で、使用者がシューズを脱ぐ際に緊締部をアッパー本体から離間させる場合には、マグネットテープおよびマグネットボタンの吸着力が十分であるため、一対のマグネットテープおよび一対のマグネットボタンを引き剥がす力は大きくなる。このため、シューズを脱ぐ際に緊締部をアッパー本体から離間するのが困難となる場合があるという問題点がある。
【０００６】
本発明は上記課題を解決するためになされたものであり、シューズ装着時にアッパー本体と緊締部とを十分な強度で固定するとともに、シューズを脱ぐ際に緊締部をアッパー本体から容易に離間させることが可能なシューズのアッパーおよびシューズを提供することを目的とする。
【課題を解決するための手段】
【０００７】
上記課題を解決するために、本発明の一の局面によるシューズのアッパーは、足を挿入するための開口部を含むアッパー本体と、少なくともその一端がアッパー本体と着脱可能に構成され、 使用者の足をアッパー本体にフィットさせる柔軟性を有する素材からなる緊締部と、緊締部に設けられた複数の第１磁性部材と、緊締部をアッパー本体に装着する際におけるアッパー本体の第１磁性部材と対向する位置に設けられ、複数の第１磁性部材と吸着することにより、緊締部をアッパー本体に固定する第２磁性部材とを備え、複数の第１磁性部材は、規則性を持って配置されている。
【０００８】
このシューズのアッパーでは、上記のように、柔軟性を有する素材からなる緊締部に設けられた複数の第１磁性部材を、規則性を持って配置することによって、１つ当たりの第１磁性部材の磁力が小さい場合にも、複数の第１磁性部材が配置されることにより、吸着面積を大きくすることができるので、使用者のシューズの装着時にアッパー本体と緊締部とを十分な強度で固定することができる。また、使用者がシューズを脱ぐ場合において、緊締部を第１磁性部材の配置の規則に従ってアッパー本体から引き剥がす場合に、まず、規則的に配置された所定の第１磁性部材が第２磁性部材から引き剥がされる。この場合に、当該第１磁性部材とそれに隣接する第１磁性部材との間の緊締部が屈曲するので、剥がれた第１磁性部材と第２磁性部材とは互いの引力が及ぼしにくくなる。これにより、規則的に配置された第１磁性部材を一つずつ順番に別個に第２磁性部材から離間させることができるので、緊締部をアッパー本体から離間させることが容易になる。その結果、装着時にアッパー本体と緊締部とを十分な強度で固定するとともに、脱ぐ際に緊締部をアッパー本体から容易に離間させることができる。
【０００９】
また、上記シューズのアッパーにおいて、好ましくは、第２磁性部材は、複数の第１磁性部材と相補的に吸着しあうようにアッパー本体に複数配置されている。このように構成すれば、複数の第１磁性部材と第２磁性部材とを一対一の対応で互いに吸着させることができるので、緊締部をアッパー本体に装着させる際の位置決めが容易になる。
【００１０】
また、上記シューズのアッパーにおいて、好ましくは、複数の第１磁性部材は、それぞれ、緊締部が延びる方向と交差する方向に沿って隣接するように配置されている。このように構成すれば、緊締部が延びる方向と交差する方向に沿う範囲で、緊締部をアッパー本体に対して強固に固定させることができる。
【００１１】
また、上記シューズのアッパーにおいて、好ましくは、複数の第１磁性部材は、それぞれ、細長形状に形成されており、複数の第１磁性部材のうち一の第１磁性部材の長手方向の端部が、他の第１磁性部材の長手方向の端部と隣接するように配置されている。このように構成すれば、第１磁性部材を長手方向に沿って並べることができるので、緊締部の長い範囲に渡って第１磁性部材と第２磁性部材とを吸着させることができる。
【００１２】
また、上記細長形状に形成された第１磁性部材を備えるシューズのアッパーにおいて、好ましくは、複数の第１磁性部材は、複数の第１磁性部材の長手方向に沿って略直線状に配置されている。このように構成すれば、緊締部のより長い範囲に渡って第１磁性部材と第２磁性部材とを吸着させることができる。
【００１３】
また、上記細長形状に形成された第１磁性部材を備えるシューズのアッパーにおいて、好ましくは、複数の第１磁性部材のうち所定の第１磁性部材と他の第１磁性部材とは、各々の長手方向の延びる方向が平行になるように配置されている。このように構成すれば、第１磁性部材が平行に配置される分、第１磁性部材を線上のみならず面状で配置することができるので、第１磁性部材を第２磁性部材に対してより強固に吸着させることができる。
【００１４】
また、上記シューズのアッパーにおいて、好ましくは、複数の第１磁性部材は、それぞれ、磁極を有する複数の第１磁石部材であり、第１磁石部材と対向する第２磁性部材は、それぞれ、第１磁性部材の磁極と反対の磁極になるように配置された第２磁石部材である。このように構成すれば、複数の第１磁性部材のうち所定の第１磁性部材とそれに対向する第２磁性部材とを、位置ずれを抑制しながら互いに吸着させることができるので、緊締部のアッパー本体に対する位置決めが容易になる。
【００１５】
また、上記本発明のシューズのアッパーにおいて、好ましくは、複数の第１磁性部材および複数の第２磁性部材は、それぞれ、ネオジム磁石を有する。このように構成すれば、第１磁性部材および第２磁性部材を、比較的磁力の大きいネオジム磁石により、コンパクト化しながら十分な吸着力を確保することができる。
【００１６】
また、本発明の別の局面によるシューズは、本発明のシューズのアッパーと、シューズのアッパーが取り付けられたソールとを備える。このように構成すれば、装着時にアッパー本体と緊締部とを十分な強度で固定するとともに、脱ぐ際に緊締部をアッパー本体から容易に離間させることが可能なシューズを得ることができる。
【発明の効果】
【００１７】
本発明に係るシューズのアッパーによれば、柔軟性を有する素材からなる緊締部に設けられた複数の第１磁性部材を、規則性を持って配置することによって、１つ当たりの第１磁性部材の磁力が小さい場合にも、複数の第１磁性部材が配置されることにより、吸着面積を大きくすることができるので、使用者のシューズの装着時にアッパー本体と緊締部とを十分な強度で固定することができる。また、使用者がシューズを脱ぐ場合において、緊締部を第１磁性部材の配置の規則に従ってアッパー本体から引き剥がす場合に、まず、規則的に配置された所定の第１磁性部材が第２磁性部材から引き剥がされる。この場合に、当該第１磁性部材とそれに隣接する第１磁性部材との間の緊締部が屈曲するので、剥がれた第１磁性部材と第２磁性部材とは互いの引力が及ぼしにくくなる。これにより、規則的に配置された第１磁性部材を一つずつ順番に別個に第２磁性部材から離間させることができるので、緊締部をアッパー本体から離間させることが容易になる。その結果、装着時にアッパー本体と緊締部とを十分な強度で固定するとともに、脱ぐ際に緊締部をアッパー本体から容易に離間させることができる。
【図面の簡単な説明】
【００１８】
【図１】本発明の一実施形態によるシューズのアッパーを備えるシューズを示した斜視図である。
【図２】図１のシューズの緊締部がアッパー本体から離間された状態を示した側面図である。
【図３】図１のシューズの緊締部がアッパー本体に固定されている状態を示した平面図である。
【図４】図１のシューズの磁石部材およびその周囲の構成を説明するための模式図である。
【図５】図１のシューズの磁石部材およびその周囲の構成を説明するための模式図である。
【図６】図１のシューズの緊締部をアッパー本体から離間させる際の動作を説明するための側面図である。
【図７】図１のシューズの磁石部材が離間する様子を説明するための模式図である。
【図８】図１のシューズの緊締部がアッパー本体から離間している途中状態を示した斜視図である。
【図９】図８の状態からさらに緊締部がアッパー本体から離間している状態を示した斜視図である。
【図１０】図１のシューズを使用者が使用している状態を示した側面図である。
【図１１】本発明の第１変形例のシューズの磁石部材の配置を示した模式図である。
【図１２】本発明の第２変形例のシューズの磁石部材の配置を示した模式図である。
【図１３】本発明の第３変形例のシューズの磁石部材の配置を示した模式図である。
【図１４】本発明の第４変形例のシューズの磁石部材の配置を示した模式図である。
【発明を実施するための形態】
【００１９】
図１〜図５と図１１〜図１４を参照して、本発明の一実施形態によるシューズのアッパー１を備えるシューズ１００の構造を説明する。
【００２０】
図１に示すように、シューズ１００は、シューズのアッパー１と、シューズのアッパー１が取り付けられたソール２とを備えている。ソール２は、軟質弾性部材から構成されている。たとえば、ソール２は、エチレン−酢酸ビニル共重合体（ＥＶＡ）等の熱可塑性樹脂やその発泡体、ポリウレタン（ＰＵ）等の熱硬化性樹脂やその発泡体、または、ブタジエンラバーやクロロプレンラバー等のラバー素材やその発泡体により構成されている。
【００２１】
シューズのアッパー１は、足を挿入するための開口部１１を含むアッパー本体１０と、アッパー本体１０と一端が着脱可能に構成された緊締部２０とを備えている。また、シューズのアッパー１は、図２に示すように、緊締部２０に設けられた複数の磁石部材３０ａ〜３０ｆと、緊締部２０をアッパー本体１０に装着する際におけるアッパー本体１０の磁石部材３０ａ〜３０ｆと対向する位置に設けられ、複数の磁石部材３０ａ〜３０ｆと吸着する磁石部材４０ａ〜４０ｆとをさらに備えている。なお、磁石部材３０ａ〜３０ｆは、それぞれ、本発明の「第１磁性部材」および「第１磁石部材」の一例であり、磁石部材４０ａ〜４０ｆは、それぞれ、本発明の「第２磁性部材」および「第２磁石部材」の一例である。なお、本実施形態では、本発明の「第１磁性部材」および「第２磁性部材」の両方を磁石により構成した例について説明しているが、本発明では、「第１磁性部材」および「第２磁性部材」のいずれか一方が磁極を有する磁石で、いずれか他方が、たとえば、磁性を有する金属である鉄、クロム、ニッケルなどにより構成されていてもよい。
【００２２】
アッパー本体１０は、たとえば、繊維編み物および合成皮革などの素材を含んでおり、使用者の足に適度にフィットおよびホールドするように構成されている。また、アッパー本体１０の開口部１１は、図１および図２に示すように、アッパー本体の踵側から足先側に延びる長穴形状を有している。具体的には、開口部１１の前端部は、使用者が装着した場合に、中足骨の前端に対応する部分に位置している。これにより、使用者は、緊締部２０をアッパー本体１０から離間させた際に、開口部１１の前端部に障害物が存在しないので、開口部１１に足を挿入または脱離することが容易となる。
【００２３】
また、図２に示すように、アッパー本体１０の外甲側には、上述した複数の磁石部材４０ａ〜４０ｆが設けられている。複数の磁石部材４０ａ〜４０ｆは、それぞれ、細長の四角柱形状を有しており、ほぼ同一の寸法を有している。また、図４および図５に示すように、複数の磁石部材４０ａ〜４０ｆは、それぞれ、長手方向の一方端側がＳ極で、他方端側がＮ極の磁極を有する。また、複数の磁石部材４０ａ〜４０ｆは、それぞれ、ネオジム磁石からなる。
【００２４】
緊締部２０は、図２および図３に示すように、その一方端２０ａ（図３参照）がアッパー本体１０の内甲側に取り付けられており、その他方端２０ｂは自由端になっている。この緊締部２０は、図１に示すように、緊締部２０の他方端２０ｂがアッパー本体１０の外甲側に配置された場合に、開口部１１の爪先側の一部を覆うように構成されている。また、緊締部２０は、緊締部２０がアッパー本体１０に固定された場合に、使用者の足をアッパー本体１０にフィットさせる柔軟性を有する素材からなる。また、緊締部２０は、緊締部２０がアッパー本体１０に固定された場合に、使用者の足甲をホールドするとともに足甲を覆う舌部の機能を有する。
【００２５】
また、緊締部２０には、緊締部２０をアッパー本体１０に対して装着または離間させる際に、使用者が緊締部２０を把持するための把持部２１が設けられている。把持部２１は、緊締部２０の他方端２０ｂに取り付けられている。また、把持部２１は、緊締部２０の素材と比べて、柔軟な素材により構成されている。つまり、使用者がシューズ１００を履いて歩行する場合などにおいて、把持部２１がなんらかの障害物に当たった場合にも、把持部２１がその柔軟性により容易に折れ曲がり、把持部２１が障害物に当たった衝撃が緊締部２０に伝達し難くなっている。また、磁石部材３０ｅおよび３０ｆは、それぞれ、緊締部２０の他方端２０ｂの近傍に配置されており、他方端２０ｂがアッパー本体１０に対して浮き難い。その結果、他方端２０ｂはアッパー本体１０に対して浮き上がらない分、障害物に当たり難くなっている。これらにより、緊締部２０がアッパー本体１０から剥がれにくくなっている。また、把持部２１は、踵側方向に突出するように緊締部２０に設けられている。つまり、把持部２１は、使用者の歩行時の進行方向とは反対方向に向かって突出するように緊締部２０に設けられている。
【００２６】
また、図２に示すように、緊締部２０の他方端２０ｂ側には、磁性部材収納部３１および３２が取り付けられている。また、磁性部材収納部３１は、緊締部材２０が延びる方向、すなわち足幅方向、と交差する方向に延びるように配置されている。磁性部材収納部３２は、緊締部２０の磁性部材収納部３１の他方端２０ｂ側に磁性部材収納部３１とほぼ平行に配置されている。また、磁性部材収納部３１および３２は、それぞれ、厚みが約０．０１ｍｍ〜約０．５ｍｍの織物、編み物、不織布やフィルムなどから成り、その外周部が緊締部２０に縫い付けられている。
【００２７】
磁性部材収納部３１および３２には、それぞれ、複数の磁石部材３０ａ〜３０ｄ、および、磁石部材３０ｅおよび３０ｆが収納されている。複数の磁石部材３０ａ〜３０ｆは、それぞれ、複数の磁石部材４０ａ〜４０ｆと同様、細長の四角柱形状を有しており、ほぼ同一の寸法を有している。また、図４および図５に示すように、複数の磁石部材３０ａ〜３０ｆは、それぞれ、長手方向の一方端側がＳ極で、他方端側がＮ極の磁極を有する。また、複数の磁石部材３０ａ〜３０ｆは、それぞれ、ネオジム磁石からなる。なお、本実施形態に用いるネオジム磁石については、後に詳述する。
【００２８】
磁石部材３０ａ〜３０ｄは、図４に示すように、磁性部材収納部３１に収納されており、緊締部２０の踵側から爪先側に向かって順番に直線的に配置されている。また、磁石部材３０ｅおよび３０ｆは、図５に示すように、磁性部材収納部３２に収納されており、緊締部２０の踵側から爪先側に向かって順番に直線的に配置されている。このように、磁石部材３０ａ〜３０ｆは、それぞれ、緊締部２０が延びる方向と交差する方向に沿って隣接するように配置されている。また、図４に示すように、磁石部材３０ａ〜３０ｄは、それぞれ、複数の磁石部材３０ａ〜３０ｄのうち一の磁石部材３０ａ〜３０ｄ（たとえば磁石部材３０ａ）の長手方向の端部が、他の磁石部材３０ａ〜３０ｄ（たとえば磁石部材３０ｂ）の長手方向の端部と隣接するように配置されている。そして、磁石部材３０ａ〜３０ｄは、それぞれ、向かい合う磁極が異なる磁極になるように磁性部材収納部３１に収納されている。また、隣り合う磁石部材３０ａ〜３０ｄは、互いに吸着された状態で磁性部材収納部３１の内部に収納されている。また、図５に示すように、磁石部材３０ｅおよび３０ｆは、磁石部材３０ｅおよび３０ｆのうち一の磁石部材３０ｅの長手方向の端部が、他の磁石部材３０ｆの長手方向の端部と隣接するように配置されている。そして、磁石部材３０ｅおよび３０ｆは、それぞれ、向かい合う磁極が異なる磁極になるように磁性部材収納部３２に収納されている。また、隣り合う磁石部材３０ｅおよび３０ｆは、互いに吸着された状態で磁性部材収納部３２の内部に収納されている。
【００２９】
上記のように、本実施形態では、本発明の第１磁性部材および第１磁石部材の一例である磁石部材３０ａ〜３０ｆを、磁石部材３０ａ〜３０ｆの長手方向に沿って略直線的に配置したが、本発明ではこれに限られない。たとえば、図１１に示す第１変形例のように、細長形状の磁石部材１３０ａ〜１３０ｄをジグザグ状に緊締部１２０に規則性を持って配置し、磁石部材１３０ａ〜１３０ｄと相補的に吸着しあう図示しない磁性部材をアッパー本体に設けるようにしてもよい。また、図１２に示す第２変形例のように、細長状の磁石部材２３０ａ〜２３０ｆを長手方向に沿って延びる曲線状に緊締部２２０に規則性を持って配置し、磁石部材２３０ａ〜２３０ｆと相補的に吸着しあう図示しない磁性部材をアッパー本体に設けるようにしてもよい。また、図１３に示す第３変形例のように、細長状の磁石部材３３０ａ〜３３０ｄを短手方向に沿ってほぼ直線状に緊締部３２０に規則性を持って配置し、磁石部材３３０ａ〜３３０ｄと相補的に吸着しあう図示しない磁性部材をアッパー本体に設けるようにしてもよい。図１４に示す第４変形例のように、正方形状の磁石部材４３０ａ〜４３０ｄを略直線状に緊締部４２０に規則性を持って配置し、磁石部材４３０ａ〜４３０ｄと相補的に吸着しあう図示しない磁性部材をアッパー本体に設けるようにしてもよい。また、正方形状などの矩形形状に限らず、三角形状の磁石部材（図示せず）や、円形形状の磁石部材（図示せず）であってもよい。
【００３０】
図２に示すように、複数の磁石部材４０ａ〜４０ｆは、緊締部２０をアッパー本体１０に装着する際におけるアッパー本体１０の複数の磁石部材３０ａ〜３０ｆと対向する位置に設けられている。つまり、複数の磁石部材４０ａ〜４０ｆは、複数の磁石部材３０ａ〜３０ｆと相補的に吸着しあうようにアッパー本体１０に配置されており、緊締部２０をアッパー本体１０に固定する機能を有する。これら複数の磁石部材４０ａ〜４０ｄ、および、磁石部材４０ｅおよび４０ｆは、それぞれ、磁性部材収納部４１および４２に収納されている。また、磁性部材収納部４１および４２は、それぞれ、厚みが約０．０１ｍｍ〜約０．５ｍｍの織物、編み物、不織布やフィルムなどから成り、その外周部がアッパー本体１０に縫い付けられている。
【００３１】
また、図４および図５に示すように、磁石部材３０ａ〜３０ｆと対向する磁石部材４０ａ〜４０ｆは、それぞれ、磁石部材３０ａ〜３０ｆの磁極と反対の磁極になるように配置されている。すなわち、磁石部材３０ａ〜３０ｆの一方側の磁極がＳ極である場合に、それに対向する磁石部材４０ａ〜４０ｆの一方側の磁極はＮ極になるように配置されている。このように、磁石部材３０ａ〜３０ｆとそれに対向する磁石部材４０ａ〜４０ｆとは、互いに異なる磁極になるよう配置されることにより、位置ずれすることなく互いに吸着するので、緊締部２０をアッパー本体１０に対して所定の正しい位置で固定することが可能である。また、磁石部材３０ａ〜３０ｆおよび４０ａ〜４０ｆは、吸引力により互いに引き合って互いに吸着するため、たとえば、面ファスナーにより緊締部をアッパー本体に固定する場合のように面ファスナーを張り合わせる動作が必要ない分、緊締部２０をアッパー本体１０に固定させることが容易になる。
【００３２】
次に、図２および図４〜図９を参照して、本実施形態におけるシューズ１の緊締部２０がアッパー本体１０に固定する際の動作と、緊締部２０をアッパー本体１０から離間させる際の動作とについて説明する。
【００３３】
まず、緊締部２０をアッパー本体１０に装着する際の動作について説明する。図２に示すように、緊締部２０の他方端２０ｂがアッパー本体１０から離間している際に、使用者などにより把持部２１が把持された状態で、他方端２０ｂがアッパー本体１０の外甲側に近づけられる。他方端２０ｂがアッパー本体１０の外甲側と所定の距離まで近づいた場合に、緊締部２０に設けられた磁石部材３０ａ〜３０ｆとアッパー本体１０に設けられた磁石部材４０ａ〜４０ｆとが、その引力により互いに引き合う。図４および図５に示すように、磁石部材３０ａ〜３０ｆおよび４０ａ〜４０ｆは、互いに反対の磁極になるように配置されているので、磁石部材３０ａ〜３０ｆの一方側とそれに対向する磁石部材４０ａ〜４０ｆの一方側とが一致するように吸着するとともに、磁石部材３０ａ〜３０ｆの他方側とそれに対向する磁石部材４０ａ〜４０ｆの他方側とが一致するように吸着する。このように、６つの磁石部材３０ａ〜３０ｆとそれらに対向する６つの磁石部材４０ａ〜４０ｆとが互いに吸着することにより、緊締部２０はアッパー本体１０に装着され、固定される。
【００３４】
次に、緊締部２０をアッパー本体１０から離間させる際の動作について説明する。図６に示すように、緊締部２０の他方端２０ｂがアッパー本体１０に装着されている際に、使用者などにより把持部２１が把持された状態で、把持部２１はアッパー本体１０から離間する方向に引っ張られる。すると、図７に示すように、磁性部材収納部３２に収納されている把持部２１に最も近い磁石部材３０ｅが、それと吸着している磁石部材４０ｅから引き剥がされる。この場合において、緊締部２０は磁石部材３０ｅと３０ｆとの間で屈曲し、磁石部材３０ｅと磁石部材４０ｅとは、互いに引き剥がされた状態のままとなる。その後、把持部２１がアッパー本体１０から離間する方向にさらに引っ張られると、図５に示すように、磁石部材３０ｅに隣接する磁石部材３０ｆは、それと吸着している磁石部材４０ｆから引き剥がされる。このように、緊締部２０が磁石部材３０ｅおよび３０ｆの間で屈曲することにより、磁石部材３０ｅおよび３０ｆを別個に磁石部材４０ｅおよび４０ｆから引き剥がすことが可能となる。これにより、緊締部２０をアッパー本体１０から離間させる力を少なくすることが可能となる。
【００３５】
磁石部材３０ｅおよび３０ｆが磁石部材４０ｅおよび４０ｆから引き剥がされた後、さらに把持部２１がアッパー本体１０から離間する方向に引っ張られると、図８に示すように、磁性部材収納部３１に収納されている把持部２１に最も近い磁石部材３０ａが、それと吸着している磁石部材４０ａから引き剥がされる。そして、磁石部材３０ｅおよび３０ｆが磁石部材４０ｅおよび４０ｆから引き剥がされた場合と同様に、図９に示すように、磁石部材３０ｂ、３０ｃおよび３０ｄが、それぞれ別個に、磁石部材４０ｂ、４０ｃおよび４０ｄから順番に引き剥がされる。
【００３６】
次に、図１０を参照して、本実施形態によるシューズ１００の緊締部２０のアッパー本体１０に対する固定力について説明する。
【００３７】
本実施形態によるシューズ１００の磁石部材３０ａ〜３０ｆおよび磁石部材４０ａ〜４０ｆは、それぞれ、上述したように、ネオジム磁石からなる。また、磁石部材３０ａ〜３０ｆおよび磁石部材４０ａ〜４０ｆは、それぞれ、厚み１．５ｍｍ、幅３．０ｍｍ、長さ１０．０ｍｍであり、１本当たりの磁力は１１９００ガウスを有する。また、磁石部材３０ａ〜３０ｆおよび４０ａ〜４０ｆの一対の吸着力は、垂直方向で１３．７８Ｎである。すなわち、本実施形態による磁石部材３０ａ〜３０ｆおよび４０ａ〜４０ｆの全体の吸着力は、６対分の吸着力である８２．６８Ｎである。
【００３８】
図１０に示すように、使用者の走行時または方向転換のステップ時に、使用者の足甲が浮くことに起因して、アッパー本体１０から離間する方向に緊締部２０に力が付与される。ここで、発明者らは、このような状態であっても緊締部２０がアッパー本体１０から離間しない磁石部材の数（固定力）を鋭意検討した結果、以下の結論に達した。
【００３９】
（使用者が成人である場合）
４対の磁石部材により緊締部２０とアッパー本体１０とを固定した場合には、方向転換のステップ時に、まれに緊締部２０がアッパー本体１０から離間した。この場合において、歩行時および走行時には、緊締部２０がアッパー本体１０から離間することがなかった。５対の磁石部材により緊締部２０とアッパー本体１０とを固定した場合には、歩行時、方向転換のステップ時および走行時のいずれの場合でも、緊締部２０がアッパー本体１０から離間することがなかった。これにより、使用者が成人である場合には、日常の使用であれば、緊締部２０をアッパー本体１０に固定するのに４対の磁石部材（吸着力が５５．１２Ｎ）があれば十分であることがわかった。より好ましくは、緊締部２０をアッパー本体１０に固定するのに、５対の磁石部材（吸着力が６８．９０Ｎ）またはそれ以上の磁石部材を緊締部２０およびアッパー本体１０に設ければ十分であることがわかった。
【００４０】
（使用者が幼児である場合）
１対の磁石部材により緊締部２０とアッパー本体１０とを固定した場合には、歩行時および走行時のいずれの場合で、まれに、緊締部２０がアッパー本体１０から離間することがあった。２対の磁石部材により緊締部２０とアッパー本体１０とを固定した場合には、緊締部２０がアッパー本体１０から離間することがなかった。これにより、使用者が幼児である場合には、緊締部２０をアッパー本体１０に固定するのに２対の磁石部材（吸着力が２７．５６Ｎ）を緊締部２０およびアッパー本体１０に設ければ十分であることがわかった。なお、本実施形態で用いた磁石部材よりも吸着力の小さい磁石部材であっても、２対の磁石部材の吸着力が約１５Ｎ以上であれば、緊締部２０がアッパー本体１０から離間しないと考えられる。
【００４１】
本実施形態では、上記のように、柔軟性を有する素材からなる緊締部２０に設けられた磁石部材３０ａ〜３０ｆを、規則性を持って配置することによって、１つ当たりの磁石部材の磁力が小さい場合にも、複数の磁石部材３０ａ〜３０ｆが配置されることにより、吸着面積を大きくすることができるので、使用者のシューズ１００の装着時にアッパー本体１０と緊締部２０とを十分な強度で固定することができる。また、使用者がシューズ１００を脱ぐ場合において、緊締部２０を磁石部材３０ａ〜３０ｆの配置の規則に従ってアッパー本体１０から引き剥がす場合に、まず、緊締部２０に規則的に配置された先頭の磁石部材（たとえば磁石部材３０ａ）がアッパー本体１０の磁石部材（たとえば磁石部材４０ａ）から引き剥がされる。この場合に、磁石部材３０ａとそれに隣接する磁石部材３０ｂとの間の緊締部２０が屈曲するので、剥がれた磁石部材３０ａと磁石部材４０ａとは互いの引力が及ぼしにくくなる。これにより、規則的に配置された磁石部材３０ａ〜３０ｆを一つずつ順番に別個に磁石部材４０ａ〜４０ｆから離間させることができるので、緊締部２０をアッパー本体１０から離間させることが容易になる。その結果、装着時にアッパー本体１０と緊締部２０とを十分な強度で固定するとともに、脱ぐ際に緊締部２０をアッパー本体１０から容易に離間させることができる。
【００４２】
また、本実施形態では、上記のように、磁石部材４０ａ〜４０ｆを、磁石部材３０ａ〜３０ｆと相補的に吸着しあうようにアッパー本体１０に配置することによって、磁石部材３０ａ〜３０ｆと磁石部材４０ａ〜４０ｆとを一対一の対応で互いに吸着させることができるので、緊締部２０をアッパー本体１０に装着させる際の位置決めが容易になる。
【００４３】
また、本実施形態では、上記のように、磁石部材３０ａ〜３０ｆを、それぞれ、緊締部２０が延びる方向と交差する方向に沿って隣接するように配置することによって、緊締部２０が延びる方向と交差する方向に沿う範囲で、緊締部２０をアッパー本体１０に対して強固に固定させることができる。
【００４４】
また、本実施形態では、上記のように、磁石部材３０ａ〜３０ｄのうち一の磁石部材（たとえば磁石部材３０ａ）の長手方向の端部を、他の磁石部材（たとえば磁石部材３０ｂ）の長手方向の端部と隣接するように配置することによって、磁石部材３０ａ〜３０ｄを長手方向に沿って並べることができるので、緊締部２０の長い範囲に渡って磁石部材３０ａ〜３０ｄと磁石部材４０ａ〜４０ｄとを吸着させることができる。
【００４５】
また、本実施形態では、上記のように、磁石部材３０ａ〜３０ｆのうち磁石部材３０ａ〜３０ｄと磁石部材３０ｅおよび３０ｆとを、各々の長手方向の延びる方向が平行になるように配置することによって、磁石部材３０ａ〜３０ｆを線上のみならず面状で配置することができるので、磁石部材３０ａ〜３０ｆを磁石部材４０ａ〜４０ｆに対してより強固に吸着させることができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
たとえば、上記実施形態では、本発明のシューズに設けられる第１磁性部材および第２磁性部材の一例として、ネオジム磁石からなる磁石部材を用いた例について示したが、本発明はこれに限られない。本発明では、第１磁性部材および第２磁性部材の一例として、サマコバ磁石やフェライト磁石を用いても良い。
【００４８】
また、上記実施形態では、磁石部材３０ａ〜３０ｆを、緊締部２０が延びる方向と交差する方向に沿って隣接するように配置した例を示したが、本発明はこれに限られない。本発明では、磁石部材３０ａ〜３０ｆを、緊締部２０が延びる方向に沿って隣接するように配置してもよい。
【００４９】
また、上記実施形態では、緊締部２０の固定端２０ａをアッパー本体１０の内甲側に設けるとともに、磁石部材４０ａ〜４０ｆをアッパー本体１０の外甲側に配置した例について示したが、本発明はこれに限られない。本発明では、緊締部の固定端をアッパー本体の外甲側に設けるとともに、磁石部材をアッパー本体の内甲側に配置するようにしてもよい。また、緊締部に固定端を設けずに、緊締部の内甲側および外甲側の両方に磁性部材を設けて、緊締部の両端を磁性部材によりアッパー本体に固定するようにしてもよい。
【００５０】
また、上記実施形態では、磁石部材３０ａ〜３０ｆおよび磁石部材４０ａ〜４０ｆを、それぞれ、６対設けた例について示したが、本発明はこれに限られない。本発明では、使用者の使用に耐える固定力であれば、２対以上の磁石部材を設ければよい。
【００５１】
また、上記実施形態では、隣り合う磁石部材３０ａ〜３０ｆを、互いに吸着させた状態で隣接するように緊締部に配置した例について示したが、本発明はこれに限られない。本発明では、隣り合う磁石部材を吸着させない状態で緊締部に配置するようにしてもよい。
【００５２】
また、上記実施形態では、本発明のシューズに設けられる第２磁性部材の一例として、磁石部材３０ａ〜３０ｆと相補的に吸着しあう磁石部材４０ａ〜４０ｆを用いた例について示したが、本発明はこれに限られない。本発明では、第２磁性部材として、鉄やクロムなどからなる１枚の金属プレートを用いてもよい。
【００５３】
また、上記実施形態では、磁石部材３０ａ〜３０ｆおよび磁石部材４０ａ〜４０ｆの長手方向の両端で磁極が異なる磁石を用いた例について示したが、本発明はこれに限られない。本発明では、磁石部材の吸着面全面をＳ極またはＮ極のいずれか一方の磁極を有するようにし、対向する磁石部材の吸着面全面をＳ極またはＮ極のいずれか他方の磁極を有するようにしてもよい。
【符号の説明】
【００５４】
１  シューズのアッパー
２  ソール
１０  アッパー本体
１１  開口部
２０、１２０、２２０、３２０、４２０  緊締部
３０ａ〜３０ｆ、１３０ａ〜１３０ｄ、２３０ａ〜２３０ｆ、３３０ａ〜３３０ｄ、４３０ａ〜４３０ｄ  磁石部材（第１磁性部材、第１磁石部材）
４０ａ〜４０ｆ  磁石部材（第２磁性部材、第２磁石部材）
１００  シューズ
【図１】
2016043177.tif 000003
【図２】
2016043177.tif 000004
【図３】
2016043177.tif 000005
【図４】
2016043177.tif 000006
【図５】
2016043177.tif 000007
【図６】
2016043177.tif 000008
【図７】
2016043177.tif 000009
【図８】
2016043177.tif 000010
【図９】
2016043177.tif 000011
【図１０】
2016043177.tif 000012
【図１１】
2016043177.tif 000013
【図１２】
2016043177.tif 000014
【図１３】
2016043177.tif 000015
【図１４】
2016043177.tif 000016